(57)【要約】【課題】排水口を囲むように設けられた筒体の側面に形成された開口部を筒体の外側から開閉する第１切替弁および第２切替弁を備える構成において、第２切替弁の開閉動作に起因する洗浄水の排出量のばらつきを抑制する。【解決手段】洗浄水タンク装置において、便器に供給する洗浄水を貯水し、排水口１４が底部に形成された洗浄水タンクと、排水口１４を開閉する排水弁５１と、排水口１４を取り囲むように洗浄水タンクの底部上に立設され、上方が開放されるとともに側面部６１に開口部６２を有する小タンク６０と、開口部６２の開口面積を減少させる第１切替弁７１と、第１切替弁７１により減少した開口面積をさらに減少させる第２切替弁７２とを備え、第２切替弁７２は、閉塞状態で、鉛直方向に対して開弁側に所定角度傾いた状態となる。【選択図】図４
2014196649.tif 000002
【特許請求の範囲】
【請求項１】
便器を洗浄する洗浄水の貯水および排水を行う洗浄水タンク装置であって、
便器に供給する洗浄水を貯水し、洗浄水を排出する排水口が底部に形成された洗浄水タンクと、
前記排水口を開閉する排水弁と、
前記排水口を取り囲むように前記洗浄水タンクの底部上に立設され、上方が開放されるとともに側面部に開口部を有する筒体と、
閉弁状態となることで前記開口部の開口面積を減少させる第１切替弁と、
前記筒体に対して前記第１切替弁の外側にて閉弁状態の前記第１切替弁に重なり前記開口部に最も近接した位置にある閉塞状態から自重によって回動して開弁状態となるように回動可能に設けられ、閉弁状態となることで前記第１切替弁により減少した前記開口面積をさらに減少させる第２切替弁と、を備え、
前記第２切替弁は、前記閉塞状態で、鉛直方向に対して開弁側に所定角度傾いた状態となる
ことを特徴とする洗浄水タンク装置。
【請求項２】
前記第１切替弁は、閉弁状態から自重によって回動して開弁状態となるように回動可能に設けられ、閉弁状態で、鉛直方向に対して開弁側に所定角度傾いた状態となる
ことを特徴とする請求項１に記載の洗浄水タンク装置。
【請求項３】
前記開口部は、前記筒体の鉛直方向の中央位置より上側に設けられている
ことを特徴とする請求項１または請求項２に記載の洗浄水タンク装置。
【請求項４】
前記筒体の側面部の前記開口部の開口の下端位置よりも下側に、開閉可能な第２の開口部が設けられている
ことを特徴とする請求項１〜３のいずれか１項に記載の洗浄水タンク装置。
【発明の詳細な説明】
【技術分野】
【０００１】
本発明は、便器等を洗浄する洗浄水の貯水および排水を行う洗浄水タンク装置に関する。
【背景技術】
【０００２】
従来、便器を洗浄する洗浄水の貯水および排水を行う洗浄水タンク装置には、使用者等による操作によって便器に対する洗浄水の排出量が切り替わる構成を備えるものがある（例えば、特許文献１参照。）。この種の洗浄水タンク装置は、洗浄水を貯水する洗浄水タンク内に、洗浄水を排出させるための排水弁装置を備える。排水弁装置は、洗浄水タンクの底部に設けられ洗浄水を排出する排水口をフロートによる浮力を用いて開閉する排水弁と、フロートに浮力を与えるための洗浄水を収容する貯水部分を構成して排水弁の弁体を制御する制御筒と、制御筒を収容して排水口を囲むように設けられる筒体とを有する。そして、洗浄水の排出量を切り替えるための構成として、筒体の側面に形成された開口部を筒体の外側から開閉する切替弁が設けられる。
【０００３】
特許文献１には、筒体に設けられる切替弁として、第１切替弁と、筒体に対して第１切替弁の外側に設けられる第２切替弁とを備える構成が開示されている。第１切替弁は、閉じた状態となることで、筒体の開口部の開口面積を減少させる。第２切替弁は、閉じた状態となることで、第１切替弁が閉じた状態からさらに筒体の開口部の開口面積を減少させる。これらの切替弁の開閉動作により、筒体側面の開口部の開口面積が段階的に変化させられ、洗浄水の排出量が大洗浄モード・小洗浄モード・エコ小洗浄モードの３つのモードにより３段階に切り替えられる。具体的には次のとおりである。
【０００４】
大洗浄モードの場合は、第１切替弁および第２切替弁の両方が開いた状態、つまり筒体側面の開口部が開放された状態のまま、洗浄水の排出動作が行われる。大洗浄モードでは、開放された状態の開口部から筒体内に洗浄水が流れ込むことにより、比較的多量の洗浄水が排出される。これに対し、小洗浄モードの場合は、洗浄水の排出動作の開始にともなって第１切替弁および第２切替弁によって一旦筒体側面の開口部が閉じられた後、第２切替弁のみが自重によって初期位置に戻り開いた状態となる。なお、第１切替弁については、筒体の内外の水圧の差によって閉じた状態が保持される。小洗浄モードでは、大洗浄モードの場合と比べて、筒体側面の開口部から筒体内に流れ込む洗浄水の量が減り、洗浄水の排出量が少なくなる。また、エコ小洗浄モードの場合は、小洗浄モードの場合と同様に排水開始にともなって第１切替弁および第２切替弁が一旦閉じられ、その後、第２切替弁が自重によって開くまでの間に、第２切替弁の閉状態が所定の時間保持される。これにより、筒体側面の開口部から筒体内に流れ込む洗浄水の量がより減少し、小洗浄モードの場合と比べて洗浄水の排出量が少なくなる。
【先行技術文献】
【特許文献】
【０００５】
【特許文献１】特開２０１１−２４１５５４号公報
【発明の概要】
【発明が解決しようとする課題】
【０００６】
上述したように筒体の開口部に対して設けられた第１切替弁および第２切替弁によって洗浄水の排出量が３段階に切り替えられる構成においては、何らかの原因によって切替弁が所望のタイミングで開かない等、切替弁の開閉動作が不安定となる場合がある。切替弁の開閉動作が不安定となることは、洗浄水の排出量がばらつく原因となる。
【０００７】
特に、小洗浄モードの場合において、本来であれば洗浄水の排出動作の開始にともなって第１切替弁とともに一旦閉じられた後に比較的すぐに自重によって開いた状態となる第２切替弁が、水圧によって閉じたままの状態で保持され、第２切替弁の開弁タイミングが遅れるといった現象が発生するときがある。このような現象が発生すると、小洗浄モードの場合であっても、エコ小洗浄モードの場合のように第２切替弁の閉状態が保持される状態が意図せずに発生し、洗浄水の排出量が規定の量よりも少なくなってしまう。このように第２切替弁の開弁タイミングが遅れるという現象は、洗浄水タンク装置の排水口から排出される洗浄水を受け入れる便器側の流路における圧損が比較的小さい場合に発生しやすい。すなわち、便器側の流路における圧損が小さいと、排水口からの洗浄水の排出抵抗が小さくなるので、排水口を囲むように設けられる筒体内における排水の勢いが強くなり、これにより、筒体の内外の水圧の差によって第２切替弁に対して閉弁方向に作用する水圧が大きくなり、第２切替弁が開きにくくなる。
【０００８】
本発明は、上記のような事情に鑑みてなされたものであり、洗浄水の排出量を切り替えるための構成として、排水口を囲むように設けられた筒体の側面に形成された開口部を筒体の外側から開閉する第１切替弁および第２切替弁を備える構成において、第２切替弁が開くタイミングが遅れることを防止することができ、洗浄水の排出量のばらつきを抑制することができる洗浄水タンク装置を提供することを目的とする。
【課題を解決するための手段】
【０００９】
本発明のうち第１の態様に係る洗浄水タンク装置は、便器を洗浄する洗浄水の貯水および排水を行う洗浄水タンク装置であって、便器に供給する洗浄水を貯水し、洗浄水を排出する排水口が底部に形成された洗浄水タンクと、前記排水口を開閉する排水弁と、前記排水口を取り囲むように前記洗浄水タンクの底部上に立設され、上方が開放されるとともに側面部に開口部を有する筒体と、閉弁状態となることで前記開口部の開口面積を減少させる第１切替弁と、前記筒体に対して前記第１切替弁の外側にて閉弁状態の前記第１切替弁に重なり前記開口部に最も近接した位置にある閉塞状態から自重によって回動して開弁状態となるように回動可能に設けられ、閉弁状態となることで前記第１切替弁により減少した前記開口面積をさらに減少させる第２切替弁と、を備え、前記第２切替弁は、前記閉塞状態で、鉛直方向に対して開弁側に所定角度傾いた状態となることを特徴とするものである。このような構成の洗浄水タンク装置によれば、洗浄水の排出量を切り替えるための構成として、排水口を囲むように設けられた筒体の側面に形成された開口部を筒体の外側から開閉する第１切替弁および第２切替弁を備える構成において、第２切替弁が開くタイミングが遅れることを防止することができ、洗浄水の排出量のばらつきを抑制することができる。
【００１０】
本発明のうち第２の態様に係る洗浄水タンク装置は、第１の態様に係る洗浄水タンク装置であって、前記第１切替弁は、閉弁状態から自重によって回動して開弁状態となるように回動可能に設けられ、閉弁状態で、鉛直方向に対して開弁側に所定角度傾いた状態となることを特徴とするものである。このような構成の洗浄水タンク装置によれば、第１切替弁を確実に開かせることができ、第１切替弁の開弁動作について正常な動作を得ることができる。
【００１１】
本発明のうち第３の態様に係る洗浄水タンク装置は、第１の態様または第２の態様に係る洗浄水タンク装置であって、前記開口部は、前記筒体の鉛直方向の中央位置より上側に設けられていることを特徴とするものである。このような構成の洗浄水タンク装置によれば、開口部が開放された状態で洗浄水の排出が行われる洗浄モードにおいて、排水弁の閉弁後における最終的な水位を、開口部の開口の下端位置とすることができ、その洗浄モードにおいて洗浄水の排出量のばらつきを抑制することができる。
【００１２】
本発明のうち第４の態様に係る洗浄水タンク装置は、第１〜３のいずれか１つの態様に係る洗浄水タンク装置であって、前記筒体の側面部の前記開口部の開口の下端位置よりも下側に、開閉可能な第２の開口部が設けられていることを特徴とするものである。このような構成の洗浄水タンク装置によれば、筒体に設けられた開口部に対する第１切替弁および第２切替弁の開閉動作によって洗浄水の排出量を互いに異ならせる各洗浄モードにおいて、第２の開口部の開閉によってさらに洗浄水の排出量を調整することが可能となる。
【発明の効果】
【００１３】
本発明によれば、洗浄水の排出量を切り替えるための構成として、排水口を囲むように設けられた筒体の側面に形成された開口部を筒体の外側から開閉する第１切替弁および第２切替弁を備える構成において、第２切替弁が開くタイミングが遅れることを防止することができ、洗浄水の排出量のばらつきを抑制することができる。
【図面の簡単な説明】
【００１４】
【図１】本発明の一実施形態に係る洗浄水タンク装置の適用例を示す図である。
【図２】本発明の一実施形態に係る洗浄水タンク装置の構成を示す正面断面図である。
【図３】本発明の一実施形態に係る排水弁装置の構成を示す断面図である。
【図４】本発明の一実施形態に係る排水弁装置の構成を示す断面図である。
【図５】本発明の一実施形態に係る排水弁装置の構成を示す分解斜視図である。
【図６】本発明の一実施形態に係る制御筒の構成を示す斜視図である。
【図７】本発明の一実施形態に係る排水弁装置の構成を示す斜視図である。
【図８】本発明の一実施形態に係る洗浄水タンク装置の大洗浄モードの場合の動作説明図である。
【図９】本発明の一実施形態に係る洗浄水タンク装置の小洗浄モードの場合の動作説明図である。
【図１０】本発明の一実施形態に係る洗浄水タンク装置のエコ小洗浄モードの場合の動作説明図である。
【図１１】本発明の一実施形態に係る排水弁装置の構成を示す図である。
【図１２】本発明の一実施形態に係る排水弁装置の構成を示す図である。
【図１３】本発明の一実施形態に係る排水弁装置の構成を示す図である。
【図１４】本発明の一実施形態に係る筒体を示す斜視図である。
【図１５】本発明の一実施形態に係る筒体を示す斜視図である。
【発明を実施するための形態】
【００１５】
本発明は、洗浄水の排出量を切り替えるための構成として、排水口を囲むように設けられた筒体の側面に形成された開口部を筒体の外側から開閉する第１切替弁および第２切替弁を備える構成において、切替弁が筒体の開口部に最も近接した状態における切替弁の態様を工夫することにより、切替弁の動作を安定させ、洗浄水の排出量のばらつきを抑制しようとするものである。以下、本発明の実施の形態を説明する。
【００１６】
まず、本実施形態に係る洗浄水タンク装置の適用例について、図１を用いて説明する。なお、図１は、本実施形態に係る洗浄水タンク装置が適用された水栓便器の一部断面図を示す。
【００１７】
図１に示すように、本実施形態に係る洗浄水タンク装置１は、水洗便器２に対して設けられ、水洗便器２を洗浄する洗浄水の貯水、および水洗便器２に対する洗浄水の排水を行う。水洗便器２は、洗浄水タンク装置１から供給される洗浄水を受けるボウル部３と、ボウル部３の上縁部に形成されたリム部４と、洗浄水タンク装置１から排出された洗浄水をボウル部３へと導く導水路５とを有する。ボウル部３の上端部の内壁面には、導水路５から供給される洗浄水を吐水する吐水口６が開口している。吐水口６から吐水された洗浄水は、ボウル部３の壁面に沿って旋回しながら下降してボウル部３を洗浄する。なお、図示は省略するが、水洗便器２においては、ボウル部３の下方の溜水部に連通する排水トラップ管路や、溜水部の溜水を上下方向に旋回させる旋回流を生じさせるために導水路５からの洗浄水を溜水部の上方の位置にて吐水する吐水口等が形成されている。
【００１８】
このような水洗便器２において、洗浄水タンク装置１は、水洗便器２の導水路５の流入側の開口部が位置する後部上面に載置固定された状態で設けられる。すなわち、洗浄水タンク装置１は、その洗浄水タンク１２の底部１２ａ（図２参照）に設けられた排水口１４が導水路５に対して上側から臨むように設けられる。そして、洗浄水タンク１２から排出される洗浄水が、排水口１４を介して導水路５へと排水され、ボウル部３へと供給される。なお、本実施形態に係る洗浄水タンク装置１は、図１に示すような水の落差による流水作用で汚物を押し出す先落とし式の水洗便器２のほか、他のタイプの水洗便器（例えば、サイホン作用で汚物を吸い込むように排出するサイホン式の便器等）であっても適用可能である。
【００１９】
本実施形態に係る洗浄水タンク装置１は、水洗便器２に対する洗浄水の排出量に関し、使用者等による操作によって水洗便器２に対する洗浄水の排出量が３段階に切り替わる構成を備える。具体的には、本実施形態の洗浄水タンク装置１は、洗浄水の排出量が多い順に、大洗浄を行う大洗浄モード・小洗浄を行う小洗浄モード・エコ小洗浄を行うエコ小洗浄モードの３つのモードを有する。洗浄水タンク装置１の各洗浄モードでの動作については後述する。
【００２０】
次に、本実施形態に係る洗浄水タンク装置１の構成について説明する。洗浄水タンク装置１は、水洗便器２を洗浄する洗浄水の貯水および排水を行うものである。図２に示すように、本実施形態に係る洗浄水タンク装置１は、外装タンク１１と、外装タンク１１内に設けられ、水洗便器２に供給される洗浄水を貯水する洗浄水タンク１２とを備える。外装タンク１１は、例えば陶器製の部材により構成され、上側が開口した箱状の部材であって洗浄水タンク１２を収容する空間を形成する本体部１１ａと、この本体部１１ａの上側の開口部を覆うように取り付けられる蓋体１１ｂとを有する。
【００２１】
外装タンク１１を構成する蓋体１１ｂには、その上面側において手洗い鉢１１ｃが形成されている。手洗い鉢１１ｃ上には、手洗い鉢１１ｃに向けて吐水する吐水部１１ｄが立設されている。吐水部１１ｄからは、洗浄水タンク１２内の水が供給されて吐水される。吐水部１１ｄから吐水された水は、手洗い鉢１１ｃの中央部に設けられた排出口１１ｅから排出され、洗浄水タンク１２内に流入する。排出口１１ｅから洗浄水タンク１２内に流入する水は、蓋体１１ｂの下方に設けられた導水部材１３により、洗浄水タンク１２内における所定の場所に導かれる。
【００２２】
洗浄水タンク１２は、水洗便器２に供給する洗浄水を貯水し、洗浄水を排出する排水口１４が底部１２ａに形成されたものである。洗浄水タンク１２は、外装タンク１１を構成する本体部１１ａの内部において固定された状態で設けられる。洗浄水タンク１２の底部１２ａにおける略中央部には、上述したように導水路５に臨む排水口１４が設けられている。排水口１４は、洗浄水タンク１２の底部１２ａを開口させるとともに底部１２ａから下側に向けて突出して下側に開口する筒状の突出部分として設けられる。排水口１４は、洗浄水タンク１２の貯水空間を導水路５内に連通させる。洗浄水タンク１２は、筒状の排水口１４を外装タンク１１の底部１１ｆに貫通させた状態で、所定の係合部材１５によって固定される。洗浄水タンク１２は、その底部１２ａにおいて排水口１４の周囲に設けられた複数（図２においては２箇所）の固定部１６にて、固定部材１７により外装タンク１１の底部１１ｆに対して固定される。また、洗浄水タンク１２は、その大部分が断熱体１８によって被装されている。
【００２３】
洗浄水タンク装置１は、洗浄水タンク１２内に水を供給するための洗浄水供給装置２０と、使用者等の操作を受けて作動する操作装置３０と、操作装置３０によって操作され、洗浄水タンク１２内を排出するための排水弁装置４０とを備える。
【００２４】
洗浄水供給装置２０について、図２を用いて説明する。図２に示すように、洗浄水供給装置２０は、給水管２１と、給水バルブ装置２２と、給水装置用フロート２４と、手洗い給水管２５とを有する。
【００２５】
給水管２１は、外装タンク１１の外部の水道管等の給水源に接続され、給水源からの給水を受ける。給水バルブ装置２２は、給水管２１からの給水経路を開閉するバルブ機構を有する。給水バルブ装置２２内には、給水バルブを介して給水管２１と連通し、給水源から給水された水を洗浄水タンク１２内に吐水する吐水管が設けられている。給水装置用フロート２４は、上下方向に延びるロッド２６ａの下端側に設けられ、ロッド２６ａおよびロッド２６ａの上端部に設けられた作動アーム２６ｂを介して給水バルブ装置２２に連結される。
【００２６】
洗浄水供給装置２０においては、洗浄水タンク１２内の水位の変動による給水装置用フロート２４の上下動にともない、ロッド２６ａおよび作動アーム２６ｂを介して給水バルブ装置２２が開閉動作し、洗浄水タンク１２内の洗浄水の水位が調整される。本実施形態では、排水弁装置４０が作動することによる洗浄水タンク１２からの排水開始後に、洗浄水供給装置２０による給水が開始される。また、本実施形態の洗浄水供給装置２０は、洗浄水タンク１２の満水時における洗浄水の水位が所定の水位ＷＬで一定となるように構成されている。
【００２７】
また、洗浄水供給装置２０においては、手洗い給水管２５は、給水源からの給水経路が分岐された配管構成であり、給水源からの給水経路において分配された給水を手洗い鉢１１ｃ上の吐水部１１ｄへと供給する。洗浄水供給装置２０は、洗浄水タンク装置１から水洗便器２への洗浄水の供給開始時（排水開始時）に、給水管２５による吐水部１１ｄへの水の供給を開始する。なお、洗浄水供給装置２０としては、周知の構成のものを採用することができるため、洗浄水供給装置２０の各部の具体的な構成については説明を省略する。
【００２８】
操作装置３０について、図２を用いて説明する。操作装置３０は、使用者等による操作を受けることで作動し、排水弁装置４０を作動させる。図２に示すように、操作装置３０は、操作レバー３１と、回動伝達部材３２と、第１の引上げ部材３３と、第２の引上げ部材３４と、第１の玉鎖３５と、第２の玉鎖３６とを有する。また、操作装置３０は、モータ３８と、モータ３８に無線または有線で接続される操作部３９とを有する。操作部３９は、大洗浄用・小洗浄用・エコ小洗浄用の各洗浄を実行させるための３つの操作ボタンを有する。
【００２９】
操作レバー３１は、外装タンク１１の外側に設けられ、使用者等によって回動操作される手動式の操作部である。図２に示す例では、操作レバー３１は、本体部１１ａの一側（図２において右側）の側壁から突出するように設けられている。操作レバー３１の操作としては、操作レバー３１が回動する方向によって、大洗浄用の操作または小洗浄用の操作が行われる。操作装置３０は、操作レバー３１が一方向（例えば図２において手前側）に約９０°回動操作されると、排水弁装置４０に対して大洗浄用の動作を行い、操作レバー３１が他方向（例えば図２において奥側）に約９０°回動操作されると、排水弁装置４０に対して小洗浄用の動作を行う。
【００３０】
また、モータ３８は、操作部３９において大洗浄用の操作ボタンが押されることにより、操作レバー３１が一方向に約９０°回動操作された場合と同様の排水弁装置４０に対する大洗浄用の動作が操作装置３０において行われるように回転して回動伝達部材３２に作用する。モータ３８は、操作部３９において小洗浄用の操作ボタンが押されることにより、操作レバー３１が他方向に約９０°回動操作された場合と同様の排水弁装置４０に対する大洗浄用の動作が操作装置３０において行われるように回転して回動伝達部材３２に作用する。このように、本実施形態では、大洗浄および小洗浄については、操作装置３０は、操作レバー３１の操作および操作部３９の操作のいずれの操作によっても動作する。これに対し、エコ小洗浄については、操作装置３０は、操作部３９の操作によってのみ、つまりモータ３８によってのみ動作する。
【００３１】
回動伝達部材３２は、軸体やワイヤ部材やユニバーサルジョイント等により構成され、操作レバー３１の回動操作に連動して回動する軸状の構造である。回動伝達部材３２は、外装タンク１１の外側に設けられる操作レバー３１に対して連結機構３７を介して連結され、外装タンク１１の内部において略水平方向に延設される。回動伝達部材３２の、操作レバー３１と連結される側（図２において右側）と反対側に、第１の引上げ部材３３および第２の引上げ部材３４が設けられる。
【００３２】
第１の引上げ部材３３および第２の引上げ部材３４は、外装タンク１１の幅方向（図２において左右方向）の略中央部に配置され、いずれも回動伝達部材３２に外嵌された状態で回動伝達部材３２から下側に延設されるように設けられたアーム状の部材である。第１の引上げ部材３３および第２の引上げ部材３４は、いずれも回動伝達部材３２の回動動作にともなって揺動する。第１の引上げ部材３３の先端部には、第１の玉鎖３５の一端（上端）が連結され、第２の引上げ部材３４の先端部には、第２の玉鎖３６の一端（上端）が連結される。第１の玉鎖３５および第２の玉鎖３６の他端は、それぞれ排水弁装置４０における所定の場所に連結される。
【００３３】
第１の引上げ部材３３および第２の引上げ部材３４は、回動伝達部材３２に対して、次のような動作が行われるように設けられる。回動伝達部材３２が大洗浄用の操作として一方向に回動されると、その回動にともなって第１の引上げ部材３３のみが一方向に揺動して第１の玉鎖３５を引き上げる。また、回動伝達部材３２が小洗浄用またはエコ小洗浄用の操作として他方向に回動されると、その回動にともなって第１の引上げ部材３３および第２の引上げ部材３４の両方が他方向に揺動して第１の玉鎖３５および第２の玉鎖３６を引き上げる。
【００３４】
排水弁装置４０について、図２から図７を用いて説明する。排水弁装置４０は、水洗便器２に供給される洗浄水を貯水する洗浄水タンク１２に設けられ、洗浄水タンク１２内を排出するための構成である。排水弁装置４０は、弁体４１と、作動杆としてのオーバーフロー管４２と、貯水筒４３と、フロート５０と、筒体としての小タンク６０とを備える。
【００３５】
弁体４１は、洗浄水タンク１２の底部１２ａに設けられた排水口１４を開閉する。弁体４１は、ゴム等の合成樹脂材料からなる弾性部材であって、円環状の形状を有し、オーバーフロー管４２の下端部においてオーバーフロー管４２の外周面から鍔状に突出するような態様で設けられる。本実施形態では、弁体４１は、オーバーフロー管４２の下端部において上下方向に所定の隙間をもって設けられた上下２段の鍔状の挟持片部４２ａ間に嵌め込まれた状態で、オーバーフロー管４２と一体的に設けられる。
【００３６】
オーバーフロー管４２は、洗浄水タンク装置１の待機状態、つまり洗浄水タンク１２の満水状態において上端開口部を洗浄水タンク１２の水位ＷＬよりも上方に位置させるとともに、下端開口部を排水口１４に連通させる。これにより、洗浄水タンク１２内の余剰の洗浄水がオーバーフロー管４２によって排水口１４へと排出される。
【００３７】
オーバーフロー管４２は、弁体４１を下端部に有し上下動することで弁体４１による排水口１４の開閉を行う。すなわち、オーバーフロー管４２は、上述したように下端部に設けられる上下２段の挟持片部４２ａ間に挟まれた態様で設けられた弁体４１を有し、この弁体４１とともに一体的に上下動作を行う。オーバーフロー管４２とともに上下動作する弁体４１により、排水口１４が開閉される。このように、オーバーフロー管４２と一体的に動作する弁体４１は、排水口１４を開閉する排水弁５１を構成する。
【００３８】
オーバーフロー管４２の中間部には、上述したように一端（上端）が第１の引上げ部材３３に連結される第１の玉鎖３５の他端（下端）が連結される係止部材４４が設けられている。係止部材４４は、周方向の一部が切り欠かれた円環状ないしは筒状の本体部４４ａを有し、この本体部４４ａの部分を、オーバーフロー管４２の中間部に形成された縮径部分である凹部４２ｂに嵌合させた状態で設けられる。係止部材４４は、凹部４２ｂに嵌め込まれた状態で、オーバーフロー管４２の軸方向（上下方向）については相対的な移動が規制される（位置決めされる）とともに、オーバーフロー管４２の軸方向を回転軸方向とする水平方向の相対的な回転が許容された状態で、オーバーフロー管４２に保持される。
【００３９】
このような構成により、上述したような操作レバー３１の操作に連動した回動伝達部材３２の回動にともなう第１の引上げ部材３３の揺動によって第１の玉鎖３５が引き上げられることで、係止部材４４を介して第１の玉鎖３５の下端側が連結されたオーバーフロー管４２が引き上げられる。これにより、オーバーフロー管４２と弁体４１とが一体的に上昇して排水口１４が開かれた状態となる。ここで、弁体４１は、洗浄水タンク１２内に貯水されている洗浄水に作用する重力により（ヘッド圧により）、排水口１４を閉じる方向（鉛直下方）に押さえられているため、第１の玉鎖３５が引き上げられた際、先に係止部材４４がオーバーフロー管４２に対して回転し、その後、オーバーフロー管４２が鉛直上方に引き上げられることになる。
【００４０】
貯水筒４３は、オーバーフロー管４２を筒軸方向に貫通させるとともに洗浄水を流出させるための小孔４３ａ、４３ｂ（図６参照）が周面に形成された筒状の部分である。貯水筒４３は、フロート５０に浮力を与えるための洗浄水を収容する空間を形成するとともに、排水口１４からの洗浄水の排水の過程で、収容した洗浄水を小孔４３ａ、４３ｂから排出する。
【００４１】
貯水筒４３は、オーバーフロー管４２を筒軸方向に貫通させる制御筒４５の一部として構成される。制御筒４５は、略円筒状の外筒部４７と、外筒部４７の内側において外筒部４７と同軸心状に設けられる略円筒状の内筒部４８とを有し、これらからなる２重筒構造を有する。外筒部４７および内筒部４８は、いずれも筒軸方向（上下方向）の両端を開口させている。
【００４２】
外筒部４７と内筒部４８との間には、これらを繋ぐ水平隔壁部４９が設けられている。水平隔壁部４９は、外筒部４７における上下方向の中央よりも下側寄りの位置であって、内筒部４８の下端部の位置に設けられている。水平隔壁部４９は、制御筒４５が有する２重筒構造において、外筒部４７の内周面４７ａと内筒部４８の外周面４８ａとをつなぐ円環板状の部分である。
【００４３】
このような構成により、制御筒４５において、外筒部４７の内周面４７ａと、内筒部４８の外周面４８ａと、水平隔壁部４９の上面４９ａとによって、上側に開口する貯水可能な円筒状の空間が形成される。かかる円筒状の空間が、フロート５０およびフロート５０に浮力を与えるための洗浄水を収容する空間となる。このように制御筒４５において円筒状の収容空間を形成する部分が、貯水部としての貯水筒４３となる。
【００４４】
貯水筒４３においては、内筒部４８内に、オーバーフロー管４２が貫通する。内筒部４８は、オーバーフロー管４２の上下動作をガイドする機能を有する。また、貯水筒４３においては、外筒部４７の周壁に、２つの小孔４３ａ、４３ｂがその周壁を貫通するように形成されている。
【００４５】
小孔４３ａ、４３ｂは、貯水筒４３に貯水された洗浄水を貯水筒４３内から所定の流量で排出させるための開口部である。２つの小孔４３ａ、４３ｂは、外筒部４７の周壁の下端部における略同じ高さ位置にて周方向に所定の間隔を開けて設けられている（図６参照）。ここで、２つの小孔４３ａ、４３ｂのうち、一方の小孔４３ａは、外筒部４７の外周側に上下スライド可能に付設された板状の切替部材４６のスライド移動により開閉可能に構成されている。つまり、切替部材４６による小孔４３ａの開閉により、貯水筒４３内から流出させる洗浄水の流量が調節される。なお、本実施形態では、貯水筒４３内の洗浄水を排出させるための小孔が２箇所に設けられているが、この小孔は少なくとも１箇所に設けられればよい。また、本実施形態では、小孔４３ａ、４３ｂは、外筒部４７において側面部分である周壁に形成されているが、例えば、貯水筒４３を構成する水平隔壁部４９において上下方向に貫通するように形成されてもよい。また、図３、図４においては切替部材４６の図示を省略している。
【００４６】
貯水筒４３を構成する制御筒４５は、その下側の開口端、つまり外筒部４７の下側の開口端を、洗浄水タンク１２の底部１２ａに開口する排水口１４に臨ませるように、底部１２ａ上に立設された状態で設けられる。つまり、制御筒４５は、排水口１４の洗浄水タンク１２内への開口部に覆い被さるように配置され、制御筒４５の内部空間と排水口１４の内部空間とが互いに連通するように設けられる。そして、制御筒４５において構成される貯水筒４３よりも下側の部分、つまり貯水筒４３を構成する外筒部４７の水平隔壁部４９よりも下側の延設部分には、制御筒４５の内外を連通させる流入口４５ｂが形成されている。流入口４５ｂは、洗浄水タンク１２内の洗浄水の排水口１４からの排出時に、制御筒４５の貯水筒４３よりも下側の部分において、制御筒４５外の洗浄水を制御筒４５内に流入させて排水口１４へと流入させる。
【００４７】
フロート５０は、上述したように制御筒４５において構成される貯水筒４３内に配置され、貯水筒４３内の洗浄水によって得た浮力をオーバーフロー管４２に作用させる筒状の部材である。フロート５０は、貯水筒４３内の洗浄水の水位の変動にともなって浮力により上下動する。
【００４８】
フロート５０は、例えばポリプロピレン等の合成樹脂材料からなり、筒状の外形を有する中空部材である。フロート５０は、上側に開口する円筒状の空間を形成する貯水筒４３内に、内筒部４８を貫通させた態様で設けられる。フロート５０は、貯水筒４３内の洗浄水の水位の変動にともない、上側の一部を貯水筒４３の上側の開口から出没させるように上下動する。
【００４９】
フロート５０は、貯水筒４３内の洗浄水から得た浮力による上昇に際し、上述したようにオーバーフロー管４２に設けられる係止部材４４によって係止されることで、オーバーフロー管４２に作用する。係止部材４４は、フロート５０を係止させるため、本体部４４ａの外側に突出する係止片部４４ｂを有する。係止片部４４ｂは、円環状ないしは筒状の本体部４４ａの外周面から本体部４４ａの径方向に沿って突出し、本体部４４ａの周方向を板厚方向とする突片部である。本実施形態では、係止片部４４ｂは、オーバーフロー管４２の軸方向視で放射状となるように、本体部４４ａの周方向について略等間隔で４箇所に設けられている（図５参照）。
【００５０】
このようにフロート５０に対する係止部として係止片部４４ｂを突出させる係止部材４４は、浮力により上昇するフロート５０の上端面に当接することで、フロート５０のストッパとして機能するとともに、フロート５０の浮力による上昇作用を受けてその浮力の作用をオーバーフロー管４２に伝達させる浮力受け部として機能する。係止片部４４ｂは、これらの機能が発揮できる形状・大きさを有する。
【００５１】
フロート５０の浮力は、洗浄水タンク１２の満水時には、洗浄水の水圧（ヘッド圧）によって弁体４１を介して下方向に押さえ付けられているオーバーフロー管４２を上昇させることがないように、また、洗浄水タンク１２からの排水時には、弁体４１およびオーバーフロー管４２に作用する下向きの力よりやや大きくなるように設定される。
【００５２】
小タンク６０は、フロート５０を収容する貯水筒４３を構成する制御筒４５を収容する。小タンク６０は、その横断面形状が略矩形状となる略四角筒状の筐体である。小タンク６０の上側の端部は、小タンク６０の略四角筒状の外形に沿って略四角形状に開放されており、その開放部分の開口形状に沿うとともに略水平面に沿う上縁部６０ａが存在する。また、小タンク６０の下端側には、小タンク６０の底面部を円形状に開口させた開口部６０ｂが設けられている。そして、小タンク６０は、その下側の開口部６０ｂに、制御筒４５の下端部を嵌らせるように、制御筒４５を収容する。
【００５３】
このように、小タンク６０および小タンク６０内に設けられる制御筒４５は、洗浄水タンク１２の底部１２ａに開口する排水口１４を取り囲むように、底部１２ａに立設した状態で取り付けられる。そして、オーバーフロー管４２が、制御筒４５において構成される貯水筒４３の内筒部４８内を挿通した状態で上下動可能に設けられ、オーバーフロー管４２の下端部に設けられた弁体４１により、オーバーフロー管４２の上下動にともなって排水口１４が開閉される。
【００５４】
小タンク６０には、一側の側面部６１（図３において右側の側面）に、略矩形状の開口部６２が形成されている。開口部６２は、小タンク６０の側面部６１を貫通して小タンク６０の内外を連通させる開口を形成する部分である。上述したように制御筒４５とともに排水口１４を取り囲むように立設される小タンク６０は、制御筒４５との関係において、開口部６２が設けられる側を、制御筒４５の小孔４３ａ、４３ｂが設けられる側と反対側に位置させるように設けられる。以上のように、本実施形態に係る小タンク６０は、排水口１４を取り囲むように洗浄水タンク１２の底部１２ａ上に立設され、上方が開放されるとともに側面部６１に開口部６２を有する。
【００５５】
このような小タンク６０において、排水口１４からの洗浄水の排出量を切り替えるための構成として、小タンク６０の側面部６１に形成された開口部６２を小タンク６０の外側から開閉する切替弁が設けられている。本実施形態では、小タンク６０に設けられる切替弁として、開口部６２を開口面積的に段階的に開閉する第１切替弁７１および第２切替弁７２の２重の弁が設けられている。これらの第１切替弁７１および第２切替弁７２は、排水口１４からの洗浄水の排出時に小タンク６０の外側から小タンク６０内へと流入する洗浄水の量を調節する流量調節機構を構成する。
【００５６】
第１切替弁７１および第２切替弁７２は、いずれも略矩形状の開口部６２に対応した略矩形板状の部材であり、小タンク６０の外側から開口部６２を閉じるように、回動可能に支持された状態で設けられる。第１切替弁７１および第２切替弁７２は、開口部６２に対して第１切替弁７１を内側、第２切替弁７２を外側に位置させ、互いに近接した状態で互いに重なるように設けられる。
【００５７】
第１切替弁７１および第２切替弁７２は、いずれも略矩形板状の外形における下端部が共通の位置にて回動可能に支持される。具体的には、小タンク６０の開口部６２が設けられる側の側面部６１の開口部６２よりも下側の部分において、開口部６２を正面にして左右両側の角部分に、その角部分を凹ませた形状の凹部６３が設けられている。凹部６３は、側面部６１に対する段差面であって側面部６１と略平行な第１面部６３ａと、側面部６１に隣り合う側面部に対する段差面であって第１面部６３ａに対して略直角な面である第２面部６３ｂとを有し、小タンク６０の角筒形状の横断面形状において開口部６２が設けられる側面部６１側の部分を凸部分とする（図１４、図１５参照）。そして、開口部６２の下側の部分において、開口部６２を正面にして左右方向の両側の凹部６３の第２面部６３ｂに、左右方向に突出する軸支部６０ｃが設けられている。
【００５８】
一方、第１切替弁７１は、略矩形板状の基部７１ａと、基部７１ａにおいて互いに対向する一対の辺側に設けられた一対の支持突片部７１ｂとを有する。一対の支持突片部７１ｂは、一対の軸支部６０ｃをその軸方向の両側から挟む態様で軸支部６０ｃに嵌合する。各支持突片部７１ｂは、軸支部６０ｃに軸支される部分に、軸支部６０ｃに嵌合するとともに軸支部６０ｃの軸方向の外側に突出する軸支部７１ｃを有する（図５参照）。第１切替弁７１は、基部７１ａに設けられた一対の支持突片部７１ｂにより、軸支部７１ｃを軸支部６０ｃに嵌合させた状態で、軸支部６０ｃに回動可能に支持される。
【００５９】
また、第２切替弁７２は、略矩形板状の基部７２ａと、基部７２ａにおいて互いに対向する一対の辺側に設けられた一対の支持突片部７２ｂとを有する。一対の支持突片部７２ｂは、第１切替弁７１の一対の支持突片部７１ｂの軸支部７１ｃをその軸方向の両側から挟む態様で軸支部７１ｃに嵌合する。各支持突片部７２ｂは、軸支部７１ｃに軸支される部分に、軸支部７１ｃに嵌合する支持孔部７２ｃを有する。第２切替弁７２は、基部７２ａに設けられた一対の支持突片部７２ｂにより、支持孔部７２ｃを軸支部７１ｃに嵌合嵌合させた状態で、第１切替弁７１の軸支部７１ｃに回動可能に支持される。以上のような構造により、第１切替弁７１および第２切替弁７２が、共通の支軸部７３（図７参照）において所定の回動範囲で回動可能に支持される。
【００６０】
第１切替弁７１は、閉弁状態となること、つまり開口部６２を閉じた状態となることで開口部６２の開口面積を減少させる。このため、第１切替弁７１には、連通口７１ｄが形成されている。つまり、第１切替弁７１は、開口部６２を閉じた状態において、連通口７１ｄにより、小タンク６０の内側と外側とを連通させる。連通口７１ｄの開口面積は、開口部６２が全開のときより第１切替弁７１によって閉じられたときの方が洗浄水の流量が所定量少なくなるように、開口部６２の開口面積よりも所定の面積だけ小さく設定されている。このように、第１切替弁７１は、開口部６２を閉じることで、開口部６２において小タンク６０の内外を連通させる開口面積を減少させる。
【００６１】
また、第１切替弁７１の外側に設けられる第２切替弁７２は、閉弁状態となること、つまり開口部６２を閉じた状態となることで第１切替弁７１により減少した開口部６２の開口面積をさらに減少させる。このため、第２切替弁７２には、第１切替弁７１側に向けて延びる挿入突部７２ｄが設けられている。挿入突部７２ｄは、第２切替弁７２が閉じる方向に回動して第１切替弁７１に近接することで第１切替弁７１の連通口７１ｄに挿入される部分である。第２切替弁７２は、挿入突部７２ｄを第１切替弁７１の連通口７１ｄに挿入させることで、開口部６２において第１切替弁７１が閉じられることで減少した小タンク６０の内外を連通させる開口面積をさらに減少させる。
【００６２】
また、第２切替弁７２の回動支持側と反対側の端部には、第２の玉鎖３６の他端（下端）が連結される係止部７２ｅが設けられている。これにより、回動伝達部材３２の回動による第２の引上げ部材３４の揺動にともなって第２の玉鎖３６が引き上げられることで、第２切替弁７２が支軸部７３を中心に開口部６２側へと回動するとともに、第１切替弁７１も第２切替弁７２に押されて支軸部７３を中心に開口部６２側へと回動する。第１切替弁７１および第２切替弁７２の回動範囲について、第１切替弁７１および第２切替弁７２は、開口部６２に対して最も離間した位置にある状態で、第１切替弁７１および第２切替弁７２が水平となる位置よりも手前の位置で所定角度傾いた状態となる（図３参照）。
【００６３】
また、第１切替弁７１および第２切替弁７２には、それぞれ動作を安定させるための錘７４、７５が取り付けられている。第１切替弁７１に取り付けられる錘７４は、略矩形板状の形状を有し、第１切替弁７１の基部７１ａの内側（第２切替弁７２側と反対側）の面に板面を合わせた状態で設けられる。錘７４は、第１切替弁７１の基部７１ａの内側の板面から突出する係止突起７１ｅを貫通させた状態で係止突起７１ｅの錘７４からの突出部分に係止される止め輪７４ａにより、第１切替弁７１に固定される。第２切替弁７２に取り付けられる錘７５は、略矩形板状の形状を有し、第２切替弁７２の基部７２ａの外側（第１切替弁７１側と反対側）の面に板面を合わせた状態で設けられる。錘７５は、第２切替弁７２の基部７２ａの外側の面に複数箇所設けられた係止片部７２ｆにより係止された状態で、第２切替弁７２に固定される。
【００６４】
第１切替弁７１および第２切替弁７２は、いずれも基本的には洗浄水の水圧等の影響を無視した場合、開口部６２を閉じた状態から自重によって回動して開弁状態となるように回動可能に設けられる。すなわち、第１切替弁７１は、開口部６２を閉じた閉弁状態（図４参照）から、錘７４の重さを含む自重によって回動して開弁状態となるように回動可能に設けられる。また、第２切替弁７２は、小タンク６０に対して第１切替弁７１の外側にて閉弁状態の第１切替弁７１に重なり開口部６２に最も近接した位置にある閉塞状態（図４参照）から、錘７５の重さを含む自重によって回動して開弁状態となるように回動可能に設けられる。
【００６５】
以上のように、小タンク６０の一側の側面部６１においては、支軸部７３において回動可能に支持された第１切替弁７１および第２切替弁７２の２体の弁体により、開口部６２における小タンク６０の内外の連通面積を段階的に調節して小タンク６０の外部から内部へと流入する洗浄水の量を調節する流量調節機構が構成されている。具体的には、本実施形態に係る流量調節機構は、開口部６２を全開させた状態、第１切替弁７１のみにより開口部６２を閉じた状態、第１切替弁７１および第２切替弁７２の両方により開口部６２を閉じた状態の３段階で、開口部６２における連通面積を調節する。
【００６６】
以上のような構成を備える本実施形態の洗浄水タンク装置１の動作について説明する。まず、洗浄水タンク装置１の洗浄動作として行われる３種類のモードの動作のうち、大洗浄モードでの動作について説明する。
【００６７】
洗浄水タンク装置１による水洗便器２の洗浄が行われる前の待機状態においては、洗浄水タンク１２は満水状態（図２、水位ＷＬ参照）である。この待機状態においては、フロート５０が係止部材４４の係止片部４４ｂによってオーバーフロー管４２に作用するとともに、オーバーフロー管４２の下端部の弁体４１が、洗浄水タンク１２内の洗浄水のヘッド圧により下向きに押さえ付けられた状態となっている。
【００６８】
洗浄水タンク装置１による水洗便器２の洗浄の開始時、大洗浄に際しては、使用者等によって、操作レバー３１の一方向（例えば図２において手前側）への回動操作、または操作部３９における大洗浄用の操作ボタンの押圧操作が行われる。これにより、回動伝達部材３２が第１の引上げ部材３３のみを揺動させる方向に回動し、第１の引上げ部材３３の揺動によって第１の玉鎖３５が引き上げられる。これにともない、係止部材４４によって第１の玉鎖３５の下端が連結されたオーバーフロー管４２が弁体４１とともに引き上げられ、排水口１４が開いて排水口１４からの洗浄水の排水が開始される。ここで、上述したように、第１の玉鎖３５が引き上げられた際、先に係止部材４４がオーバーフロー管４２に対して回転し、その後、オーバーフロー管４２が鉛直上方に引き上げられることから、オーバーフロー管４２が回転しながら鉛直上方に移動することが防がれ、排水弁装置４０の安定した開弁動作が得られる。
【００６９】
図８に示すように、オーバーフロー管４２の引上げにより、オーバーフロー管４２の上昇にともなって、係止部材４４の係止片部４４ｂによってオーバーフロー管４２に作用していたフロート５０が浮力によって上昇する。つまり、係止部材４４の係止片部４４ｂによって浮力による上昇が規制されていたフロート５０が、オーバーフロー管４２と一体的に係止部材４４が上昇することにともなって上昇する。
【００７０】
操作レバー３１の操作によって大洗浄が行われた場合、オーバーフロー管４２等の引上げの完了直後に、操作レバー３１は初期位置（待機状態での位置）に戻り、これにともない、第１の引上げ部材３３等も初期位置に戻る。また、操作部３９の操作によって大洗浄が行われた場合、オーバーフロー管４２等の引上げの完了直後に、モータ３８の動作によって第１の引上げ部材３３が初期位置に戻るように回動伝達部材３２が回動される。
【００７１】
図８に示すように、大洗浄の場合は、第１切替弁７１および第２切替弁７２は初期位置を保持したままであり、開口部６２は全開の状態に維持される。つまり、大洗浄モードにおいては、操作レバー３１または操作部３９の操作にともなう回動伝達部材３２の回動によって第２の引上げ部材３４は揺動されず、第２の玉鎖３６によって第２切替弁７２は引き上げられることなく、第１切替弁７１および第２切替弁７２は開口部６２から離間した状態、つまり開口部６２が全開の状態が維持される。したがって、大洗浄モードでは、開口部６２の開口面積はそれ自体の開口面積のまま一定である。
【００７２】
オーバーフロー管４２および弁体４１の上昇にともなって排水口１４からの排水が開始された後、排水口１４からの洗浄水の排出にともなって洗浄水タンク１２内の洗浄水の水位が全体的に低下する。そして、洗浄水タンク１２内の水位が小タンク６０の上縁部６０ａの付近まで低下した時点から、排水口１４からの排水にともなう小タンク６０内の洗浄水の水位の低下速度が、小タンク６０外の洗浄水の水位の低下速度に対して急激に速くなる。このことは、洗浄水タンク１２内の洗浄水の水位が小タンク６０の上縁部６０ａよりも下がることで、排水口１４に連通する小タンク６０内に対する洗浄水の流入について、小タンク６０の上側の開放部からの流入が無くなり、基本的には開口部６２からの流入のみとなることに基づく。
【００７３】
こうした小タンク６０内の洗浄水の排水口１４からの排水の過程において、貯水筒４３内に保持されている洗浄水が、小孔４３ａ、４３ｂから小タンク６０内へと流出し、その小孔４３ａ、４３ｂからの洗浄水の流出量に応じて、貯水筒４３内の洗浄水の水位が所定の速度で低下する。なお、２つの小孔４３ａ、４３ｂのうち、上述したように切替部材４６により開閉可能な一方の小孔４３ａの開閉によって、貯水筒４３内の洗浄水の小孔を介する流出量が調節される。
【００７４】
貯水筒４３内の水位の低下にともない、フロート５０が下降し、そのフロート５０の下降に連動して、オーバーフロー管４２および弁体４１が下降する。ここで、下降するオーバーフロー管４２および弁体４１は、係止部材４４を介してフロート５０に作用した状態でフロート５０の下降に追従する態様となり、フロート５０の下降速度と同じ速度で下降する。
【００７５】
そして、排水口１４からの洗浄水の排出が継続して所定時間経過後、貯水筒４３内の洗浄水の水位がフロート５０に浮力を与えない位置まで低下し、オーバーフロー管４２と一体的に下降する弁体４１により排水口１４が閉じられ、排水弁５１が閉弁状態となり（図２参照）、所定のタイミングで排水口１４からの排水が終了する。このような弁体４１の閉弁動作に関し、上述したような２つの小孔４３ａ、４３ｂのうち一方の小孔４３ａが切替部材４６により閉じられている方が、閉じられていない場合よりも貯水筒４３からの洗浄水の流出量が少なくなるため、弁体４１が閉じるタイミングが遅くなる。つまり、一方の小孔４３ａが切替部材４６により閉じられている場合の方が、両方の小孔４３ａ、４３ｂが開いている場合よりも排水弁５１の開弁時間が長くなり排水口１４からの洗浄水の排出量が多くなる。このように、切替部材４６による一方の小孔４３ａの開閉の切替えにより、排水口１４からの洗浄水の排出量が調節される。
【００７６】
図８に示すように、弁体４１により排水口１４が閉じられた排水弁５１の閉弁後においては、洗浄水タンク１２内における小タンク６０の外の水位は、最終的な水位（死水位置）ＤＷＬとなる。本実施形態の洗浄水タンク装置１において、この最終的な水位ＤＷＬは、小タンク６０に設けられた開口部６２の開口の下端に位置することになる。
【００７７】
弁体４１が閉弁して排水口１４からの洗浄水の排出が終了した後は、上述したような洗浄水供給装置２０による洗浄水タンク１２内への給水により、洗浄水タンク１２内の洗浄水の水位が満水時の水位に戻り、洗浄水タンク装置１は待機状態となる。
【００７８】
次に、洗浄水タンク装置１の洗浄動作として行われる３種類のモードの動作のうち、小洗浄モードでの動作について説明する。
【００７９】
洗浄水タンク装置１の待機状態（満水状態）から、洗浄水タンク装置１による水洗便器２の洗浄の開始時、小洗浄に際しては、使用者等によって、操作レバー３１の他方向（例えば図２において奥側）への回動操作、または操作部３９における小洗浄用の操作ボタンの押圧操作が行われる。これにより、回動伝達部材３２が第１の引上げ部材３３および第２の引上げ部材３４の両方を揺動させる方向に回動し、第１の引上げ部材３３の揺動にともない第１の玉鎖３５によってオーバーフロー管４２および弁体４１が引き上げられて排水口１４からの洗浄水の排水が開始されるとともに、第２の引上げ部材３４が揺動することによって第２の玉鎖３６が引き上げられる。これにより、小タンク６０の開口部６２に対して設けられる２重の弁体のうち外側の弁体である第２切替弁７２が引っ張られて開口部６２を閉じる方向に回動する。この第２切替弁７２の回動によって、第２切替弁７２の内側に位置する第１切替弁７１も第２切替弁７２に押されて回動する。ここで、第１切替弁７１および第２切替弁７２は、開口部６２を閉じる位置まで回動する。
【００８０】
図９に示すように、オーバーフロー管４２の引上げにより、オーバーフロー管４２の上昇にともなって、係止部材４４の係止片部４４ｂによってオーバーフロー管４２に作用していたフロート５０が浮力によって上昇する。
【００８１】
操作レバー３１の操作によって小洗浄が行われた場合、オーバーフロー管４２等の引上げの完了直後に、操作レバー３１は初期位置（待機状態での位置）に戻り、これにともない、第１の引上げ部材３３および第２の引上げ部材３４等も初期位置に戻る。また、操作部３９の操作によって小洗浄が行われた場合、オーバーフロー管４２等の引上げの完了直後に、モータ３８の動作によって第１の引上げ部材３３および第２の引上げ部材３４が初期位置に戻るように回動伝達部材３２が回動される。
【００８２】
図９に示すように、小洗浄の場合は、第２の引上げ部材３４が初期位置に戻ることで、第２切替弁７２が錘７５の重さを含む自重により初期位置に戻る。ただし、第１切替弁７１は、小タンク６０の内外の水圧の差によって開口部６２を閉じた状態で一定時間保持される。つまり、図９に示すように、第２切替弁７２は開口部６２の開口面積について作用せずに第１切替弁７１のみによって開口部６２が一部閉じられた状態が、一定時間の間保持される。
【００８３】
ここで、第１切替弁７１が開口部６２を閉じた状態が保持されることについて説明する。排水弁５１が開いて排水が開始された後、小タンク６０内を流れる洗浄水の流速の方が、小タンク６０の外部を流れる洗浄水の流速よりも速くなる。このことは、小タンク６０の内部の流路面積が第１切替弁７１の連通口７１ｄの開口面積よりも大きいことに基づく。小タンク６０の内側の流速が小タンク６０の外側の流速よりも速くなると、小タンク６０の内外で差圧が生じ、この差圧が第１切替弁７１に作用し、第１切替弁７１の開口部６２を閉じた状態が保持される。
【００８４】
このように第１切替弁７１の開口部６２を閉じた状態が一定時間保持されることにより、第１切替弁７１の連通口７１ｄの開口面積が開口部６２の開口面積よりも狭い分、開口部６２において小タンク６０の内外を連通させる開口面積が減少し、開口部６２を介して小タンク６０の外側から内側に流れ込む洗浄水の流量が減少する。
【００８５】
オーバーフロー管４２および弁体４１の上昇にともなって排水口１４からの排水が開始された後、大洗浄の場合と同様に洗浄水タンク１２内の水位が低下する。すなわち、排水口１４からの洗浄水の排出にともなって洗浄水タンク１２内の洗浄水の水位が全体的に低下して、小タンク６０の上縁部６０ａの付近まで低下した時点から、排水口１４からの排水にともなう小タンク６０内の洗浄水の水位の低下速度が、小タンク６０外の洗浄水の水位の低下速度に対して急激に速くなる。
【００８６】
こうした小タンク６０内の洗浄水の排水口１４からの排水の過程において、大洗浄の場合と同様に、貯水筒４３内に保持されている洗浄水が、小孔４３ａ、４３ｂから小タンク６０内へと流出し、その小孔４３ａ、４３ｂからの洗浄水の流出量に応じて、貯水筒４３内の洗浄水の水位が所定の速度で低下する。
【００８７】
貯水筒４３内の水位の低下にともない、フロート５０が下降し、そのフロート５０の下降に連動して、オーバーフロー管４２および弁体４１が下降する。ここで、下降するオーバーフロー管４２および弁体４１は、係止部材４４を介してフロート５０に作用した状態でフロート５０の下降に追従する態様となり、フロート５０の下降速度と同じ速度で下降する。ここでの下降速度は、大洗浄の場合とほぼ同じである。したがって、貯水筒４３内の洗浄水の水位が低下し始めてから排水弁５１が閉弁に至るまでの時間は、大洗浄の場合と小洗浄の場合とでほぼ同じである。
【００８８】
そして、排水口１４からの洗浄水の排出が継続して所定時間経過後、貯水筒４３内の洗浄水の水位がフロート５０に浮力を与えない位置まで低下し、オーバーフロー管４２と一体的に下降する弁体４１により排水口１４が閉じられ、排水弁５１が閉弁状態となり（図２参照）、所定のタイミングで排水口１４からの排水が終了する。排水口１４からの洗浄水の排出が終了した後は、洗浄水供給装置２０による洗浄水タンク１２内への給水によって洗浄水タンク１２内の洗浄水の水位が満水時の水位に戻り、洗浄水タンク装置１は待機状態となる。
【００８９】
次に、洗浄水タンク装置１の洗浄動作として行われる３種類のモードの動作のうち、エコ小洗浄モードでの動作について説明する。
【００９０】
洗浄水タンク装置１の待機状態（満水状態）から、洗浄水タンク装置１による水洗便器２の洗浄の開始時、エコ小洗浄に際しては、使用者等によって、操作部３９におけるエコ小洗浄用の操作ボタンの押圧操作が行われる。これにより、小洗浄の場合と同様に、回動伝達部材３２が第１の引上げ部材３３および第２の引上げ部材３４の両方を揺動させる方向に回動し、第１の引上げ部材３３の揺動にともない第１の玉鎖３５によってオーバーフロー管４２および弁体４１が引き上げられて排水口１４からの洗浄水の排水が開始されるとともに、第２の引上げ部材３４が揺動することによって第２の玉鎖３６が引き上げられる。これにより、小タンク６０の開口部６２に対して設けられる２重の弁体のうち外側の弁体である第２切替弁７２が引っ張られて開口部６２を閉じる方向に回動する。この第２切替弁７２の回動によって、第２切替弁７２の内側に位置する第１切替弁７１も第２切替弁７２に押されて回動する。ここで、第１切替弁７１および第２切替弁７２は、図１０に示すように、開口部６２を閉じる位置まで回動する。ただし、第１切替弁７１および第２切替弁７２は、開口部６２を閉じる位置よりも手前の所定角度回動した位置まで回動する構成であってもよい。
【００９１】
エコ小洗浄モードにおいては、モータ３８の制御により、揺動した状態の第１の引上げ部材３３および第２の引上げ部材３４が、所定時間（例えば３秒）の間その位置で保持される。すなわち、本実施形態では、エコ小洗浄モードの場合、図１０に示すように第１の引上げ部材３３の揺動にともない第１の玉鎖３５によってオーバーフロー管４２および弁体４１が引き上げられるとともに、第２の引上げ部材３４の揺動にともない第２の玉鎖３６が引き上げられ第１切替弁７１および第２切替弁７２が閉じた状態が、所定時間保持される。
【００９２】
なお、エコ小洗浄モードにおいて、第１切替弁７１および第２切替弁７２について、所定時間の間保持される回動位置が、開口部６２を閉じる位置よりも手前の所定角度回動した位置である場合は、第１切替弁７１は、小タンク６０内を流れる洗浄水の流速による負圧によって開口部６２側へ引き付けられ、上述したような小タンク６０の内外で生じる差圧によって開口部６２を閉じる位置に保持される。この場合、第２切替弁７２が所定時間の間保持される回動位置は、開口部６２を閉じた状態の第１切替弁７１に対して挿入突部７２ｄを連通口７１ｄに挿入させた状態となる位置に設定される。
【００９３】
このように、エコ小洗浄モードでは、第１切替弁７１および第２切替弁７２が開口部６２を閉じた状態が、所定時間の間保持される。これにより、開口部６２において小タンク６０の内外を連通させる開口面積が小洗浄モードの場合よりもさらに減少し、開口部６２を介して小タンク６０の外側から内側に流れ込む洗浄水の流量がさらに減少する。
【００９４】
一方、図１０に示すように、オーバーフロー管４２の引上げにより、オーバーフロー管４２の上昇にともなって、係止部材４４の係止片部４４ｂによってオーバーフロー管４２に作用していたフロート５０が浮力によって上昇する。オーバーフロー管４２および弁体４１の上昇にともなって排水口１４からの排水が開始された後、大洗浄の場合と同様に洗浄水タンク１２内の水位が低下する。すなわち、排水口１４からの洗浄水の排出にともなって洗浄水タンク１２内の洗浄水の水位が全体的に低下して、小タンク６０の上縁部６０ａの付近まで低下した時点から、排水口１４からの排水にともなう小タンク６０内の洗浄水の水位の低下速度が、小タンク６０外の洗浄水の水位の低下速度に対して急激に速くなる。
【００９５】
貯水筒４３内の水位の低下にともない、フロート５０が下降する。ここで、エコ小洗浄モードでは、大洗浄モードおよび小洗浄モードの場合と異なり、オーバーフロー管４２および弁体４１が引き上げられた状態で所定時間の間保持されていることから、オーバーフロー管４２および弁体４１を残してフロート５０のみが下降する。
【００９６】
そして、排水開始時から所定時間経過後、オーバーフロー管４２および弁体４１ならびに第２切替弁７２の保持状態が解除される。これにより、オーバーフロー管４２と一体的に下降する弁体４１により排水口１４が閉じられ、排水弁５１が閉弁状態となり（図２参照）、所定のタイミングで排水口１４からの排水が終了する。また、第２切替弁７２は自重によって初期位置に戻る。
【００９７】
なお、保持状態が解除されることによるオーバーフロー管４２および弁体４１の下降動作については、モータ３８による保持状態の解除にともなう自由落下の他、モータ３８の駆動により下降速度が調整された下降動作であってもよい。また、オーバーフロー管４２および弁体４１ならびに第２切替弁７２の保持状態を解除するタイミングは、例えば、貯水筒４３内の洗浄水の水位がフロート５０に浮力を与えない位置まで低下した時点として設定される。
【００９８】
排水口１４からの洗浄水の排出が終了した後は、洗浄水供給装置２０による洗浄水タンク１２内への給水によって洗浄水タンク１２内の洗浄水の水位が満水時の水位に戻り、洗浄水タンク装置１は待機状態となる。
【００９９】
以上のような構成を備える本実施形態の洗浄水タンク装置１においては、小タンク６０の開口部６２に対して設けられる第２切替弁７２の動作を安定させるため、第２切替弁７２は、閉塞状態で、鉛直方向に対して開弁側に所定角度傾いた状態となるように設けられている。ここで、第２切替弁７２についての閉塞状態とは、上記のとおり小タンク６０に対して第１切替弁７１の外側にて閉弁状態の第１切替弁７１に重なり開口部６２に最も近接した位置にある状態である（図４参照）。
【０１００】
第２切替弁７２の閉塞状態は、上述したような小洗浄モードおよびエコ小洗浄モードの洗浄動作における排水開始時に用いられる。すなわち、小洗浄モードおよびエコ小洗浄モードにおいては、洗浄の開始に際して操作レバー３１または操作部３９が操作されることで、回動伝達部材３２を介して第１の引上げ部材３３および第２の引上げ部材３４の両方が揺動して第１の玉鎖３５および第２の玉鎖３６が引き上げられ、オーバーフロー管４２および弁体４１が引き上げられて排水が開始されるとともに、第２切替弁７２が引っ張られて第１切替弁７１とともに開口部６２を閉じた状態となる。
【０１０１】
図１１に、第２切替弁７２の閉塞状態を示す。図１１に示すように、本実施形態の洗浄水タンク装置１においては、第２切替弁７２は、その閉塞状態において、鉛直線Ａ１に対して開弁側に所定角度α傾いた状態となる。ここで、開弁側とは、第２切替弁７２が第１切替弁７１とともに支軸部７３にて下側の部分が小タンク６０に対して回動可能に支持された構成において、略板状の基部７２ａを有する第２切替弁７２がその内側の板面を小タンク６０の側面部６１に対して略対向するように近接させた状態から、回動することで側面部６１に設けられた開口部６２から離間する側、つまり回動方向における小タンク６０側と反対側（外側）である（矢印Ｂ１参照）。また、所定角度αは、例えば５°程度である。
【０１０２】
本実施形態では、第２切替弁７２を閉塞状態において鉛直方向に対して開弁側に傾かせるための構成として、小タンク６０の側面部６１に、突出枠部６４が設けられている。突出枠部６４は、側面部６１に設けられた開口部６２の開口形状に沿って開口部６２の開口の周りを囲むように全周に形成され、側面部６１の表面から突出する周壁状ないし筒状の部分である。したがって、突出枠部６４は、略矩形状の開口部６２の開口形状に対応して略矩形状の開口形状をなす。すなわち、突出枠部６４は、側面部６１の表面からの突出部分として、上下方向に互いに対向する上側面部６４ａおよび下側面部６４ｂと、左右方向（水平方向）に互いに対向する一対の横側面部６４ｃとを有する（図１４参照）。
【０１０３】
本実施形態では、図１４に示すように、突出枠部６４の各側面部により形成される内周面６４ｄは、側面部６１において開口部６２の開口を形成する面と連続する。つまり、突出枠部６４の内周面６４ｄと面一の面によって開口部６２の開口が形成されるように、突出枠部６４が設けられている。
【０１０４】
突出枠部６４は、その突出側の開口縁端６４ｅを、第１切替弁７１および第２切替弁７２の支持面とする。具体的には次のとおりである。第１切替弁７１は、開口部６２に対する閉弁状態で、略矩形板状の基部７１ａの内側（開口部６２側）の面である平面状の内側面７１ｇを、突出枠部６４の開口縁端６４ｅに接触させる。ここで、突出枠部６４の開口縁端６４ｅは、第１切替弁７１の内側面７１ｇに対して全体的に（全周にわたって）接触した状態となる。つまり、突出枠部６４は、開口縁端６４ｅが全体的に接触する仮想の平面が存在するように形成される。
【０１０５】
また、第２切替弁７２は、閉塞状態で、略矩形板状の基部７２ａの内側（開口部６２側）の面である平面状の内側面７２ｇを、開口部６２に対する閉弁状態の第１切替弁７１における基部７１ａの内側面７１ｇと反対側の面である外側面７１ｈに対して略接触させる。したがって、突出枠部６４の開口縁端６４ｅに接触して支持された状態である閉弁状態の第１切替弁７１の基部７１ａと、閉弁状態の第１切替弁７１を介して突出枠部６４に支持された状態である閉塞状態の第２切替弁７２の基部７２ａとは、互いに略平行な状態となる。
【０１０６】
このように第１切替弁７１および第２切替弁７２の支持面を形成する突出枠部６４は、開口縁端６４ｅに沿う仮想の平面が鉛直方向（鉛直線Ａ１参照）に対して所定の角度傾くように形成されている。この開口縁端６４ｅに沿う仮想の平面の傾斜の向きは、突出枠部６４に支持された状態の第１切替弁７１および第２切替弁７２の傾斜の向きに対応する。
【０１０７】
詳細には、突出枠部６４が突出する側面部６１の表面は、略鉛直方向に沿う平面をなす。これに対し、図１４に示すように、突出枠部６４の各側面部は、上側面部６４ａの側面部６１表面からの突出寸法Ｃ１（図３参照）が、下側面部６４ｂの側面部６１表面からの突出寸法Ｃ２（同図参照）よりも大きく、しかも、開口縁端６４ｅが仮想の平面に沿うように両側の横側面部６４ｃの突出寸法が上側から下側にかけて徐々に小さくなるように形成されている。このように、突出枠部６４の開口縁端６４ｅが全体的に接触する仮想の平面が鉛直方向に対して傾斜面となるように、突出枠部６４の外側（開口縁端６４ｅ側）の開口端が形成されている。
【０１０８】
以上のような構成により、第１切替弁７１は、基部７１ａの内側面７１ｇを突出枠部６４の開口縁端６４ｅに接触させた状態、つまり突出枠部６４に支持された閉弁状態において、突出枠部６４の開口縁端６４ｅに沿う仮想の平面の鉛直方向に対する傾斜角度と同様の傾斜角度で基部７１ａを傾斜させた状態となる。また、第２切替弁７２は、基部７２ａの内側面７２ｇを閉弁状態の第１切替弁７１の外側面７１ｈに略接触させた状態、つまり閉塞状態において、突出枠部６４の開口縁端６４ｅに沿う仮想の平面の鉛直方向に対する傾斜角度と略同じ傾斜角度で基部７２ａを傾斜させた状態となる。このように、第１切替弁７１および第２切替弁７２の鉛直方向に対する傾斜角度は、突出枠部６４の開口縁端６４ｅに沿う仮想の平面の鉛直方向に対する傾斜角度に対応して互いに略同じとなる。
【０１０９】
また、第２切替弁７２の閉塞状態における傾斜に関しては、第２切替弁７２は、第１切替弁７１の外側面７１ｈに設けられた小突起部７１ｊによっても、閉塞状態において鉛直方向に対して開弁側に傾斜する。図１２に示すように、小突起部７１ｊは、第１切替弁７１の基部７１ａの外側面７１ｈにおいて、上下方向の中間部に設けられており、外側面７１ｈからわずかに突出する突起部分である。本実施形態では、小突起部７１ｊは、第１切替弁７１の外側面７１ｈにおいて、支軸部７３による回動軸方向（図１２において図面に対して垂直方向）に所定の間隔を隔てて２箇所に設けられている。
【０１１０】
小突起部７１ｊは、第１切替弁７１と第２切替弁７２との最近接状態にて第２切替弁７２の基部７２ａの内側面７２ｇに当接し、第１切替弁７１の外側面７１ｈと第２切替弁７２の内側面７２ｇとの間にわずかな隙間を形成する。つまり、第２切替弁７２は、第１切替弁７１に対して２箇所の小突起部７１ｊによって点接触した状態となり、小突起部７１ｊが存在する分、基部７２ａを第１切替弁７１の基部７１ａに対してわずかに離間させた状態となる。したがって、第２切替弁７２は、閉塞状態において、第１切替弁７１に対して小突起部７１ｊによる突出分だけ開弁側に傾斜した状態となる。
【０１１１】
このように、本実施形態では、第２切替弁７２は、その閉塞状態における開弁側への傾きについて、突出枠部６４の開口縁端６４ｅの傾斜の影響によって小タンク６０の側面部６１に対して傾くことに加えて、第１切替弁７１に設けられた小突起部７１ｊによって第１切替弁７１に対しても傾く。つまり、第２切替弁７２は、突出枠部６４の傾斜形状および第１切替弁７１の小突起部７１ｊの両方の影響により、閉塞状態において鉛直線Ａ１に対して開弁側に所定角度α（図１１参照）傾いた状態となる。
【０１１２】
また、本実施形態の洗浄水タンク装置１においては、閉弁状態から自重によって回動して開弁状態となるように回動可能に設けられた第１切替弁７１についても、閉弁状態で、鉛直方向に対して開弁側に所定角度傾いた状態となるように構成されている。第１切替弁７１は、基部７１ａの内側面７１ｇを突出枠部６４の開口縁端６４ｅに接触させた閉弁状態で、突出枠部６４の開口縁端６４ｅの傾斜形状に沿って傾斜した状態となる。第１切替弁７１の鉛直方向に対する傾斜角度は、小突起部７１ｊによる傾きが無い分、第２切替弁７２の傾斜角度と比べてわずかに小さい。
【０１１３】
以上のような構成においては、第１切替弁７１は、基部７１ａの内側面７１ｇを突出枠部６４の開口縁端６４ｅに接触させた状態、つまり突出枠部６４に支持された閉弁状態（図１１参照）となる位置を、開口部６２に最も近接した位置とする。そして、第１切替弁７１は、この開口部６２に対する最近接位置から、開口部６２に対して最も離間した位置、つまり第１切替弁７１が水平となる位置よりも手前の位置で所定角度傾いた全開状態（図１２参照）となる位置までの範囲で回動する。また、第２切替弁７２は、閉弁状態の第１切替弁７１に対して小突起部７１ｊを介して接触した閉塞状態となる位置を、開口部６２に最も近接した位置とする。そして、第２切替弁７２は、この開口部６２に対する最近接位置から、開口部６２に対して最も離間した位置、つまり第２切替弁７２が水平となる位置よりも手前の位置で所定角度傾いた全開状態（図１２参照）となる位置までの範囲で回動する。
【０１１４】
以上のような本実施形態の洗浄水タンク装置１によれば、洗浄水の排出量を切り替えるための構成として、排水口１４を囲むように設けられた小タンク６０の側面に形成された開口部６２を小タンク６０の外側から開閉する第１切替弁７１および第２切替弁７２を備える構成において、第２切替弁７２が開くタイミングが遅れることを防止することができ、洗浄水の排出量のばらつきを抑制することができる。このような効果が得られることについて説明する。
【０１１５】
本来、錘７５に作用する重力等によって自重により開いた状態となる第２切替弁７２について、第２切替弁７２が閉塞状態において鉛直方向に対して開弁側に傾斜した状態となることで、例えば第２切替弁７２が略鉛直方向に沿った状態にある場合との比較において、第２切替弁７２に作用する重力（図１１、矢印Ｇ１参照）による第２切替弁７２を開く方向に作用する分力が大きくなる。これにより、第２切替弁７２が、重力によって第２切替弁７２を開弁方向に回動させる方向の力の作用を受けやすくなり、開弁側へと回動しやすくなる。結果として、第２切替弁７２が閉塞状態において小タンク６０の内外の差圧によって開口部６２を閉じる方向の力を受けることによっても、第２切替弁７２を所定のタイミングで確実に開かせることができ、第２切替弁７２について安定した動作を得ることができる。
【０１１６】
したがって、小洗浄モードの場合において、本来であれば洗浄水の排出動作の開始にともなって第１切替弁７１とともに一旦閉じられた直後に自重によって開いた状態となる第２切替弁７２が水圧によって閉じたままの状態となって第２切替弁７２の開弁タイミングが遅れるといった現象を回避することができる。第２切替弁７２の開弁タイミングが遅れることは、小洗浄モードにおける洗浄水の排出量を規定の量よりも少なくし、洗浄水の排出量のばらつきの原因となるが、本実施形態に係る洗浄水タンク装置１によれば、小洗浄モードにおいて第２切替弁７２を安定して所定のタイミングで開かせることができる。これにより、第２切替弁７２による洗浄水の排出量の切替えを適切に行うことができ、洗浄水の排出量のばらつきを抑制することが可能となる。また、第２切替弁７２の開弁タイミングが遅れるといった現象は、洗浄水タンク装置１の排水口１４から排出される洗浄水を受け入れる水洗便器２側の導水路５等の流路における圧損が比較的小さい場合に発生しやすい。かかる観点からは、本実施形態に係る洗浄水タンク装置１によれば、水洗便器２側の流路における圧損による抵抗の大小、つまり洗浄水を受ける便器の流路形状にかかわらず、小洗浄モードにおいて第２切替弁７２の動作を安定させて洗浄水の排出量のばらつきを抑制することができる。
【０１１７】
本実施形態に係る洗浄水タンク装置１における小洗浄モードでの第２切替弁７２の具体的な動作について説明すると、小洗浄モードにおいては、まず、図１１に示すように、操作レバー３１等の操作によってオーバーフロー管４２および弁体４１とともに第２切替弁７２が引っ張られて開口部６２を閉じる方向に回動して、第２切替弁７２が第１切替弁７１とともに開口部６２に対して最も近接して開口部６２を閉じた状態となる。つまり、第１切替弁７１は閉弁状態となり、第２切替弁７２は閉塞状態となる。
【０１１８】
図１１に示すように第１切替弁７１および第２切替弁７２が閉じた状態から、オーバーフロー管４２等の引上げの完了直後に、図１２に示すように、小タンク６０内外の差圧等によって閉弁状態を維持した第１切替弁７１を残して、第２切替弁７２のみが自重により全開状態まで開弁側に回動する（矢印Ｅ１参照）。このように第２切替弁７２のみを開口部６２から離間させる場合において、第２切替弁７２は、開口部６２に最も近接した状態である閉塞状態において鉛直方向に対して開弁側に傾いていることから、小タンク６０の内外の差圧等の水圧の影響にかかわらず、重力による開弁側への回動作用によって確実に開弁側へと離間し、第２切替弁７２の開弁タイミングが遅れることが防止される。
【０１１９】
そして、第２切替弁７２が全開状態となった後、閉弁状態を維持した第１切替弁７１に作用する差圧の影響が小さくなると、図１３に示すように、所定のタイミングで第１切替弁７１も自重により全開状態まで開弁側に回動する（矢印Ｅ２参照）。ここで、本実施形態では、第１切替弁７１も第２切替弁７２と同様に開口部６２に最も近接した状態である閉弁状態において鉛直方向に対して開弁側に傾いていることから、第１切替弁７１を重力による開弁側への回動作用によって確実に開弁側へと回動させて開いた状態とすることができる。これにより、例えば、洗浄水タンク装置１が、第１切替弁７１に対して閉弁方向（開口部６２に近付く方向）に作用する重力が大きくなる方向に全体的に傾いた状態で設置された場合等においても、第１切替弁７１を確実に開かせることができ、第１切替弁７１の開弁動作について正常な動作を得ることができる。
【０１２０】
なお、本実施形態の洗浄水タンク装置１においては、第２切替弁７２の閉塞状態における鉛直方向に対する開弁側への傾斜状態は、小タンク６０に設けられた突出枠部６４の開口端部の傾斜形状によって第１切替弁７１の傾斜状態をともなって得られるものであるが、閉塞状態の第２切替弁７２を傾斜させるための構成や、第１切替弁７１の傾斜の有無については特に限定されない。例えば、第１切替弁７１については閉弁状態において略鉛直方向に沿う状態としながら、第１切替弁７１あるいは小タンク６０の側面部６１に設けた突起部等によって第２切替弁７２を傾斜させる構成であってもよい。
【０１２１】
また、本実施形態の洗浄水タンク装置１においては、小タンク６０の側面部６１に設けられて第１切替弁７１および第２切替弁７２によって開閉される開口部６２について、その高さ位置が工夫されている。すなわち、本実施形態の洗浄水タンク装置１においては、開口部６２は、小タンク６０の鉛直方向（上下方向）の中央位置より上側に設けられている。
【０１２２】
具体的には、図１１に示すように、小タンク６０において側面部６１に設けられる開口部６２は、その開口の下端の位置を、小タンク６０の全体の高さの半分の位置（直線Ｆ１参照）、つまり小タンク６０の鉛直方向の中央位置よりも上側に位置させるように設けられる。本実施形態では、上下方向の寸法について小タンク６０の約１／４の寸法を有する開口部６２が、小タンク６０の鉛直方向の中央位置よりも上側半分の部分における略中央部に設けられている。なお、開口部６２の開口幅方向については、開口部６２は、側面部６１の幅方向に対して側面部６１の幅方向の両端部以外の大部分を占めるように設けられている。
【０１２３】
このように第１切替弁７１および第２切替弁７２によって開閉される開口部６２が小タンク６０の鉛直方向の中央よりも上側の範囲内に設けられることにより、開口部６２が開放された状態で洗浄水の排出が行われる大洗浄モードにおいて、排水弁５１の閉弁後における小タンク６０の外側の最終的な水位ＤＷＬを、開口部６２の開口の下端位置とすることができる（図８、水位ＤＷＬ参照）。これにより、大洗浄モードにおいて洗浄水の排出量のばらつきを抑制することができる。このことについて具体的に説明する。
【０１２４】
洗浄水タンク１２内の水位が小タンク６０の上縁部６０ａの付近まで低下した時点からの洗浄水の排出について、排水口１４に連通する水洗便器２側の導水路５等の流路における圧損による抵抗により、排水口１４から排出される洗浄水の時間当たりの排出量が変わる。このため、例えば仮に開口部６２が小タンク６０の下端部に設けられている場合、洗浄水タンク装置１の排水口１４から排出される洗浄水を受け入れる水洗便器２側の導水路５等の流路における圧損の大小によって、排水口１４から排出される洗浄水の量が変化し、排水弁５１の閉弁直後における小タンク６０外の水位がばらつくことになる。つまり、水洗便器２側の圧損の大小による排水口１４からの洗浄水の排出量の変化に応じて開口部６２から小タンク６０内に流入する洗浄水の量が変化し、排水口１４からの洗浄水の排出量がばらつくことになる。そして、排水弁５１の閉弁直後における小タンク６０の外側の水位が開口部６２よりも上側に位置すると、排水弁５１の閉弁直後における小タンク６０外の水位によって、最終的な排水弁５１の閉弁後における最終的な水位ＤＷＬの位置が変化してしまう。この点、本実施形態のように開口部６２が小タンク６０における上側に位置することで、水洗便器２側の流路における圧損抵抗の大小にかかわらず、排水弁５１の閉弁後における小タンク６０の外側の水位を開口部６２の開口の下端位置、つまり開口部６２による摺り切りの位置（水位ＤＷＬ）とすることができるので、水洗便器２側の流路における圧損抵抗の大小の影響が小さくなり、大洗浄モードにおける洗浄水の排出量を安定させることができる。
【０１２５】
また、本実施形態に係る洗浄水タンク装置１においては、小タンク６０に、小タンク６０の側面部６１の開口部６２の開口の下端位置よりも下側に、開閉可能な下側開口部８０が設けられている。つまり、本実施形態の小タンク６０においては、鉛直方向の上側に設けられる開口部６２に加えて、開口部６２よりも下側の位置に、開閉可能な下側開口部８０が設けられている。下側開口部８０は、第１切替弁７１および第２切替弁７２によって開閉される開口部６２を第１の開口部とした場合において第２の開口部として機能し、洗浄水の排出量の調整に用いられる。
【０１２６】
図１５に示すように、下側開口部８０は、開口部６２が設けられる側面部６１側と反対側の側面部６５に設けられている。下側開口部８０は、小タンク６０の側面部６５を貫通して小タンク６０の内外を連通させる開口８０ａを形成する部分である。開口８０ａは、上下方向を短手方向、幅方向を長手方向とする矩形状の開口である。下側開口部８０は、側面部６５に付設される扉部材８１によって開閉可能に構成されている。
【０１２７】
扉部材８１は、略矩形板状の部材であり、長手方向を下側開口部８０の開口８０ａの幅方向として上下方向にスライド可能に設けられる。扉部材８１は、下側開口部８０の開口８０ａの周囲に形成された突出枠部８２に対してスライドするように設けられる。突出枠部８２は、側面部６５の表面から外側に突出する矩形枠状の部分であり、内部に開口８０ａを含み、開口８０ａよりも下側に延設されている。具体的には、突出枠部８２の枠内の上側の略半分が開口８０ａによる開口部分（小タンク６０の内外を連通させる部分）となり、突出枠部８２の枠内の下側の略半分は側面部６５の一部としての壁面部分となる。そして、扉部材８１は、開口８０ａの全体を覆うことができる外形寸法を有し、突出枠部８２に対して、開口８０ａを開閉できる範囲で上下方向にスライド可能に設けられる。
【０１２８】
扉部材８１は、開口８０ａを覆う矩形板状の本体部８１ａと、本体部８１ａの幅方向の両側に設けられた係合支持部８１ｂとを有する。係合支持部８１ｂは、本体部８１ａに対して同じ板面側に略直角に折れ曲った形状部分である。係合支持部８１ｂが突出枠部８２の幅方向の外側の側面８２ａに上下方向に沿って形成された摺動溝８２ｂに係合した状態となることで、扉部材８１が上下方向にスライド可能に支持される。また、扉部材８１においては、上下方向にスライド動作するための操作を受けるための操作用突起部８１ｃが設けられている。操作用突起部８１ｃは、扉部材８１の本体部８１ａの上端部における幅方向の中央部に設けられている。
【０１２９】
扉部材８１は、突出枠部８２に対して上側部分に位置することで、開口８０ａを閉じた状態となり、突出枠部８２に対して下側部分に位置することで、開口８０ａを開放させた状態となる。扉部材８１は、これらの各状態で、例えば係合支持部８１ｂと摺動溝８２ｂとの間の係止用の形状部分等によって嵌合保持される。
【０１３０】
以上のような下側開口部８０が、側面部６１側の開口部６２との関係において開口部６２の開口の下端位置（図３、直線Ｈ１参照）よりも下側の範囲内に設けられる。本実施形態では、下側開口部８０は、側面部６１と反対側の側面部６５の下端部に設けられている。また、本実施形態では、下側開口部８０は、その開口８０ａの開口面積が開口部６２の開口面積に対して略１／２〜１／５程度の大きさとなるように形成されている。
【０１３１】
このように扉部材８１によって開閉可能に構成された下側開口部８０が小タンク６０の側面部６５において開口部６２の開口の下端位置よりも下側の範囲内に設けられることにより、下側開口部８０の開閉の切替えにより、洗浄水の排出量を切り替えることが可能となる。すなわち、扉部材８１の操作によって下側開口部８０を開状態とするだけで、洗浄水の排出開始時において小タンク６０の外側から小タンク６０の内部に流入する洗浄水の流量が増加し、洗浄水の排出量を増加させることができる。したがって、小タンク６０に設けられた開口部６２に対する第１切替弁７１および第２切替弁７２の開閉動作によって洗浄水の排出量を互いに異ならせる各洗浄モードにおいて、下側開口部８０の開閉によってさらに洗浄水の排出量を調整することが可能となる。これにより、洗浄水タンク装置１による洗浄水の排出量についての調整幅を広げることができ、洗浄水タンク装置１が備えつけられる水洗便器２の設置現場において必要とされる洗浄水の排出量に対して容易に対応することが可能となる。
【０１３２】
本実施形態の下側開口部８０によれば、その開口８０ａの開閉の切替えを、扉部材８１の上下方向のスライド操作というワンタッチの簡単な操作によって行うことができる。これにより、小タンク６０に設けられた下側開口部８０の開閉の切替え操作に関し、比較的スペースが限られた洗浄水タンク１２内に設けられた小タンク６０に対する操作であっても、小タンク６０を洗浄水タンク１２から取り外すことなく開閉操作を行うことができ、良好な操作性が得られる。
【０１３３】
なお、本実施形態では、下側開口部８０は、上下方向にスライド可能な扉部材８１により開閉される構成であるが、下側開口部８０を開閉させるための構成については特に限定されない。また、本実施形態では、下側開口部８０は、閉じた状態と開いた状態の２つの状態の切替えが行われる構成であるが、例えば、扉部材８１を３箇所以上の位置で保持する構成を採用することにより、開口８０ａの開口面積を段階的に変化させることができるような構成であってもよい。
【０１３４】
また、本実施形態では、下側開口部８０は、小タンク６０において開口部６２が設けられる側の側面部６１と反対側の側面部６５に設けられているが、側面部６１を含む他の側面部に設けられてもよい。また、下側開口部８０の高さ位置についても、本実施形態のように小タンク６０の下端部の位置に限定されることなく、下側開口部８０は、その開口８０ａの上端の位置が、上述したように大洗浄モードにおいて最終的な水位ＤＷＬの位置を規定する開口部６２の開口の下端の位置よりも下側に位置するように設けられればよい。
【符号の説明】
【０１３５】
１      洗浄水タンク装置
２      水洗便器
１２    洗浄水タンク
１２ａ  底部
１４    排水口
６０    小タンク（筒体）
６２    開口部
７１    第１切替弁
７２    第２切替弁
８０    下側開口部（第２の開口部）
【図１】
2014196649.tif 000003
【図２】
2014196649.tif 000004
【図３】
2014196649.tif 000005
【図４】
2014196649.tif 000006
【図５】
2014196649.tif 000007
【図６】
2014196649.tif 000008
【図７】
2014196649.tif 000009
【図８】
2014196649.tif 000010
【図９】
2014196649.tif 000011
【図１０】
2014196649.tif 000012
【図１１】
2014196649.tif 000013
【図１２】
2014196649.tif 000014
【図１３】
2014196649.tif 000015
【図１４】
2014196649.tif 000016
【図１５】
2014196649.tif 000017